(57)【要約】【課題】呼出し信号の再送回数を最適化して、着信確率を向上させ、かつシステム負荷を低減できる呼出し制御方法を提案する。【解決手段】Ｗ−ＣＤＭＡ移動体通信システムにおいて、交換機装置から基地局装置を介して移動局装置へ送られる呼出し信号の再送回数を、移動局装置毎に変更可能な呼出し制御方法であって、移動局装置の呼出し信号に対する応答あるいは移動局装置の発呼を、監視しかつ記録し、呼出し信号の再送回数を、記録された移動局装置の呼出し信号に対する応答あるいは移動局装置の発呼に応じて、所定の基準に基づいて変更することを特徴とする。【選択図】      図９
2006074645.tif 000002
【特許請求の範囲】
【請求項１】
Ｗ−ＣＤＭＡ移動体通信システムにおいて、移動局装置毎に、呼出し信号の再送回数を変更可能な呼出し制御方法であって、
移動局装置の呼出し信号に対する応答あるいは移動局装置の発呼を監視し、
監視された移動局装置の呼出し信号に対する応答あるいは移動局装置の発呼に応じて、呼出し信号の再送回数を、所定の基準に基づいて移動局装置毎に変更することを特徴とする呼出し制御方法。
【請求項２】
移動局装置が、呼出し信号および初期設定回数だけ再送された呼出し信号に応答しない場合には、第１の時間期間にわたって、呼出し信号の再送回数を初期設定回数より増加させ、
第１の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第１の時間期間を満了するか、あるいは移動局装置からの発呼が無く第１の時間期間を満了する場合には、呼出し信号の再送回数を初期設定回数に戻し、
第１の時間期間内で、呼出し信号および再送された呼出し信号に対して移動局装置が応答しない呼出し失敗回数が、所定の回数に達した場合には、第１の時間期間を無効にし、第２の時間期間にわたって、呼出し信号の再送回数を初期設定回数より減少させ、
第２の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第２の時間期間を満了するか、あるいは移動局装置からの発呼が無く第２の時間時間が満了する場合には、呼出し信号の再送回数を初期設定回数に戻すことを特徴とする、請求項１に記載の呼出し制御方法。
【請求項３】
移動局装置に送る呼出し信号の再送回数を、移動局装置毎に変更可能なＷ−ＣＡＭＡ移動体通信システムであって、
基地局装置を介して交換機装置と通信することができる移動局装置と、
要求に応じて、基地局装置を介して移動局装置へ呼出し信号を送り、さらに移動局装置が呼出し信号に応答しない場合には、呼出し信号を移動局装置に再送し、または基地局装置を介して移動局装置からの発呼を受ける交換機装置と、
呼出し信号の再送回数を、移動局装置毎に管理する呼出し信号の再送回数管理装置とを備え、
該呼出し信号の再送回数管理装置が、移動局装置の呼出し信号に対する応答あるいは移動局装置の発呼を記録する記録手段を備え、該記録手段に記録された結果に応じて、呼出し信号の再送回数を、所定の基準に基づいて移動局装置毎に変更することを特徴とする移動体通信システム。
【請求項４】
移動局装置が、呼出し信号および初期設定回数だけ再送された呼出し信号に応答しない場合には、第１の時間期間にわたって、呼出し信号の再送回数を初期設定回数より増加させ、
第１の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第１の時間期間を満了するか、あるいは移動局装置からの発呼が無く第１の時間期間を満了する場合には、呼出し信号の再送回数を初期設定回数に戻し、
第１の時間期間内で、呼出し信号および再送された呼出し信号に対して移動局装置が応答しない呼出し失敗回数が、所定の回数に達した場合には、第１の時間期間を無効にし、第２の時間期間にわたって、呼出し信号の再送回数を初期設定回数より減少させ、
第２の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第２の時間期間を満了するか、あるいは移動局装置からの発呼が無く第２の時間時間が満了する場合には、呼出し信号の再送回数を初期設定回数に戻すように、
呼出し信号の再送回数管理装置が、移動局装置の呼出し信号の再送回数を管理することを特徴とする、請求項３に記載の移動体通信システム。
【請求項５】
記録手段が、移動局装置毎の呼出し信号の再送回数を一元管理できる管理テーブルを備え、該管理テーブルが、移動局装置毎に、呼出し信号の再送回数が変更されたときの時刻情報、呼出し信号の再送回数の現在値、呼出し失敗回数、第１の時間期間、および第２の時間期間の少なくとも１つを含むことを特徴とする、請求項３に記載の移動体通信システム。
【発明の詳細な説明】
【技術分野】
【０００１】
本発明は、移動局装置毎に、呼出し信号の再送回数を変更可能な呼出し制御方法、および移動体通信システムに関するものである。より詳細には、本発明は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）移動体通信システムにおいて使用される、共通チャネルの１つであるページングチャネル（ＰＣＨ）での呼出し信号の再送回数を、移動局装置の呼出し信号に対する応答あるいは移動局装置の発呼に基づいて、移動局装置毎に変更可能な呼出し制御方法および移動体通信システムに関するものである。
【背景技術】
【０００２】
従来のＷ−ＣＤＭＡ移動体通信システムでは、移動局装置を呼出す際のページング処理（呼出し処理）に関しては、移動局装置が呼出し信号に応答しない場合には、あらかじめネットワーク側で一意に設定された固定回数だけ、移動局装置に呼出し信号を再送していた。この呼出し処理において、移動局装置が、呼出し信号に対する応答をネットワーク側に返したときに、着信処理が成立していた。
【０００３】
このような呼出し処理では、呼出し信号の再送回数が、各移動局装置に対して一律な回数に設定されていたために、各移動局装置が置かれている電波環境、または呼出し条件によっては、呼出し信号の再送回数が不足または過剰になる場合があった。呼出し信号の再送回数が不足すると、着信確率が下がり、一方、呼出し信号の再送回数が過剰になると、基地局装置の下り送信電力の合計が増加し、下り干渉電力の増大またはシステム負荷の増大へとつながる可能性があった。
【発明の開示】
【発明が解決しようとする課題】
【０００４】
本発明は、Ｗ−ＣＤＭＡ移動体通信システムにおいて使用される共通チャネルの１つであるページングチャネル（ＰＣＨ）での呼出し信号の再送回数を最適化して、着信確率を向上させ、かつシステム負荷を低減することを可能とする呼出し制御方法および移動体通信システムを提供するものである。
【課題を解決するための手段】
【０００５】
請求項１に係る発明によれば、Ｗ−ＣＤＭＡ移動体通信システムにおいて、移動局装置毎に、呼出し信号の再送回数を変更可能な呼出し制御方法であって、
移動局装置の呼出し信号に対する応答あるいは移動局装置の発呼を監視し、
監視された移動局装置の呼出し信号に対する応答あるいは移動局装置の発呼に応じて、呼出し信号の再送回数を、所定の基準に基づいて移動局装置毎に変更することを特徴とする。
【０００６】
このような構成を有することによって、移動局装置の呼出し信号に対する応答あるいは移動局装置の発呼に応じて、呼出し信号の再送回数を最適化でき、着信確率を向上させ、かつシステム負荷を低減することができる。
【０００７】
請求項２に係る発明によれば、移動局装置が、呼出し信号および初期設定回数だけ再送された呼出し信号に応答しない場合には、第１の時間期間にわたって、呼出し信号の再送回数を初期設定回数より増加させ、
第１の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第１の時間期間を満了するか、あるいは移動局装置からの発呼が無く第１の時間期間を満了する場合には、呼出し信号の再送回数を初期設定回数に戻し、
第１の時間期間内で、呼出し信号および再送された呼出し信号に対して移動局装置が応答しない呼出し失敗回数が、所定の回数に達した場合には、第１の時間期間を無効にし、第２の時間期間にわたって、呼出し信号の再送回数を初期設定回数より減少させ、
第２の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第２の時間期間を満了するか、あるいは移動局装置からの発呼が無く第２の時間時間が満了する場合には、呼出し信号の再送回数を初期設定回数に戻すことを特徴とする。
【０００８】
このような構成を有することによって、移動局装置が呼出し信号に応答しない場合には、次回の呼出しの際の応答確率を上げるために、第１の時間期間にわたって呼出し信号の再送回数を増加させるが、このように呼出し信号の再送回数を増加させても応答確率を上げる効果が見込めない場合には、無駄な下りシステム負荷を低減するために、第２の時間期間にわたって呼出し信号の再送回数を減少させて、呼出し信号の再送回数を最適化することができる。
【０００９】
請求項３に係る発明によれば、移動局装置に送る呼出し信号の再送回数を、移動局装置毎に変更可能なＷ−ＣＡＭＡ移動体通信システムであって、
基地局装置を介して交換機装置と通信することができる移動局装置と、
要求に応じて、基地局装置を介して移動局装置へ呼出し信号を送り、さらに移動局装置が呼出し信号に応答しない場合には、呼出し信号を移動局装置に再送し、または基地局装置を介して移動局装置からの発呼を受ける交換機装置と、
呼出し信号の再送回数を、移動局装置毎に管理する呼出し信号の再送回数管理装置とを備え、
該呼出し信号の再送回数管理装置が、移動局装置の呼出し信号に対する応答あるいは移動局装置の発呼を記録する記録手段を備え、該記録手段に記録された結果に応じて、呼出し信号の再送回数を、所定の基準に基づいて移動局装置毎に変更することを特徴とする。
【００１０】
このような構成を有することによって、呼出し信号の再送回数管理装置が、移動局装置の呼出し信号に対する応答あるいは移動局装置の発呼に応じて、呼出し信号の再送回数を最適化させて、着信確率を向上させ、かつシステム負荷を低減することができる。
【００１１】
請求項４に係る発明によれば、移動局装置が、呼出し信号および初期設定回数だけ再送された呼出し信号に応答しない場合には、第１の時間期間にわたって、呼出し信号の再送回数を初期設定回数より増加させ、
第１の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第１の時間期間を満了するか、あるいは移動局装置からの発呼が無く第１の時間期間を満了する場合には、呼出し信号の再送回数を初期設定回数に戻し、
第１の時間期間内で、呼出し信号および再送された呼出し信号に対して移動局装置が応答しない呼出し失敗回数が、所定の回数に達した場合には、第１の時間期間を無効にし、第２の時間期間にわたって、呼出し信号の再送回数を初期設定回数より減少させ、
第２の時間期間内で、移動局装置が、呼出し信号または再送された呼出し信号に対して応答するか、あるいは発呼する場合には、呼出し信号の再送回数を初期設定回数に戻し、もしくは、移動局装置に対する呼出しが無く第２の時間期間を満了するか、あるいは移動局装置からの発呼が無く第２の時間時間が満了する場合には、呼出し信号の再送回数を初期設定回数に戻すように、
呼出し信号の再送回数管理装置が、移動局装置の呼出し信号の再送回数を管理することを特徴とする。
【００１２】
このような構成を有することによって、移動局装置が呼出し信号に応答しない場合には、次回の呼出しの際の応答確率を上げるために、第１の時間期間にわたって呼出し信号の再送回数を増加させるが、このように呼出し信号の再送回数を増加させても応答確率を上げる効果が見込めない場合には、無駄な下りシステム負荷を低減するために、第２の時間期間にわたって呼出し信号の再送回数を減少させて、呼出し信号の再送回数を最適化することができる。
【００１３】
請求項５に係る発明によれば、記録手段が、移動局装置毎の呼出し信号の再送回数を一元管理できる管理テーブルを備え、該管理テーブルが、移動局装置毎に、呼出し信号の再送回数が変更されたときの時刻情報、呼出し信号の再送回数の現在値、呼出し失敗回数、第１の時間期間、および第２の時間期間の少なくとも１つを含むことを特徴とする。
【００１４】
このような構成を有することによって、呼出し信号の再送回数設定に関するパラメータを、移動局装置毎に簡単に予め設定することができ、または変更することができる。
【発明を実施するための最良の形態】
【００１５】
図１に、本発明の呼出し制御方法が実施されるＷ−ＣＤＭＡ無線通信システムの概略構成を示す。
【００１６】
移動局装置１は、移動体無線ネットワーク１０に含まれる基地局装置１２、１３と無線通信する。各基地局装置１２、１３は、移動体無線ネットワーク１０に含まれる無線ネットワーク制御装置１１に接続される。この無線ネットワーク制御装置１１は、移動体交換センタ２０に含まれる交換機装置２１に接続される。この交換機装置２１は、公衆交換電話網３０にも接続される。さらに、この交換機装置２１は、加入者情報管理装置２２および呼出し信号の再送回数管理装置２３に接続される。
【００１７】
公衆交換電話網３０からある移動局装置１へ呼出し要求があったとき、あるいは、図示されていない他の移動局装置から基地局装置１２、１３および無線ネットワーク制御装置１１を介して、ある移動局装置１への呼出し要求があったときには、交換機装置２１は、無線ネットワーク制御装置１１および基地局装置１２、１３を介して移動局装置１へ呼出し信号を送信する。この呼出し信号に移動局装置１が応答しない場合には、交換機装置２１は、所定回数だけ呼出し信号を移動局装置１へ再送する。移動局装置１の呼出し信号に対する応答結果は、基地局装置１２、１３および無線ネットワーク制御装置１１を介して、交換機装置２１へ送られ、呼出し信号の再送回数管理装置２３に記録される。
【００１８】
図２に、呼出し信号の再送回数管理装置２３のブロック図を示す。
【００１９】
呼出し信号の再送回数管理装置２３は、交換機装置インターフェース１００、交換機装置メッセージ伝達部１１０、呼出し信号の再送判定処理部１２０、加入者情報管理装置インターフェース１３０、基準タイマ１４０、再送回数管理テーブル１５０、およびパラメータ設定インターフェース１６０を備える。
【００２０】
交換機装置インターフェース１００は、交換機装置２１と呼出し信号の再送回数管理装置２３とのインターフェースを形成し、交換機装置２１からの移動局装置１に関する呼出し信号の再送回数の問合せを受信し、交換機装置２１に呼出し信号の再送回数を報告し、さらに、移動局装置１の呼出し応答結果または発呼の結果を交換機装置２１から受信する。
【００２１】
交換機装置メッセージ伝達部１１０は、交換機装置インターフェース１００に接続され、交換機装置２１からの呼出し信号の再送回数の問合せを受信する呼出し信号の再送回数問合せ受信部１１１と、交換機装置２１に呼出し信号の再送回数を報告する呼出し信号の再送回数報告送信部１１２と、呼出し応答結果の報告を受信する呼出し信号の応答報告受信部１１３とを備える。
【００２２】
呼出し信号の再送判定処理部１２０は、交換機装置メッセージ伝達部１１０と、基準タイマ１４０と、再送回数管理テーブル１５０とに接続され、呼出し信号の再送回数を判定する呼出し信号の再送回数判定部１２１と、基準タイマ１４０の起動および終了を判定するタイマ起動・終了判定部１２２と、呼出し失敗回数をカウントする呼出し失敗回数カウンタ１２３とを備える。
【００２３】
加入者情報管理装置インターフェース１３０は、加入者情報管理装置２２と呼出し信号の再送回数管理装置２３とのインターフェースを形成し、加入者情報管理装置２２から移動局装置１に関する加入者情報を受信し、再送回数管理テーブル１５０に含まれる移動局装置識別番号管理部１５５にその加入者情報を送る。
【００２４】
基準タイマ１４０は、呼出し信号の再送判定処理部１２０および再送回数管理テーブル１５０に接続され、呼出し信号の再送回数を判定するための基準となる時間情報を提供する。
【００２５】
再送回数管理テーブル１５０は、呼出し信号の再送判定処理部１２０、加入者情報管理装置インターフェース１３０、基準タイマ１４０、およびパラメータ設定インターフェース１６０に接続され、管理テーブル１５１、呼出し信号の再送回数を判定する呼出し信号の再送回数判定部１５２、基準タイマ１４０の開始時刻を記録するタイマ開始時刻記録部１５３、呼出し失敗回数を記録する呼出し失敗回数記録部１５４、および移動局装置の識別番号を管理する移動局装置識別番号管理部１５５を備える。管理テーブル１５１は、呼出し信号の再送回数判定部１５２、タイマ開始時刻記録部１５３、呼出し失敗回数記録部１５４、および移動局装置識別番号管理部１５５に接続され、呼出し信号の再送回数に関するパラメータを、パラメータ設定テーブルの形で格納する。
【００２６】
パラメータ設定インターフェース１６０は、外部装置と呼出し信号の再送回数判定部１５２とのインターフェースを形成し、呼出し信号の再送回数に関する所定のパラメータの設定および変更を可能にする。
【００２７】
図３に、再送回数管理テーブル１５０内の管理テーブル１５１に含まれるパラメータの一例を示す。
（ａ）呼出し信号の再送回数の初期設定値（モードＮ）は、呼出し信号の再送回数が初期設定値であるモードＮでの呼出し信号の再送回数である。
（ｂ）呼出し信号再送回数の増分設定値（モードＨ）は、呼出し信号の再送回数が初期設定値より多いモードＨでの呼出し信号の再送回数である。
（ｃ）呼出し信号の再送回数減分設定値（モードＬ）は、呼出し信号の再送回数が初期設定値より少ないモードＬでの呼出し信号の再送回数である。
（ｄ）呼出し信号の再送回数増状態（モードＨ）の保持タイマΔＴＨ設定値は、モードＨを保持する時間期間ΔＴＨである。
（ｅ）呼出し信号の再送回数減状態（モードＬ）の保持タイマΔＴＬ設定値は、モードＬを保持する時間期間ΔＴＬである。
（ｆ）呼出し失敗判定回数設定値は、呼出しが失敗であると判定するために設定された回数であり、呼出し信号および再送された呼出し信号に対して一度も応答がなかったときに、呼出し失敗を１回と数えるものである。
（ｇ）呼出し失敗判定回数タイマΔＴＣ設定値（タイプ１）は、この時間期間ΔＴＣ内に、設定された呼出し失敗回数に達すると呼出しが失敗したと判定するための時間期間である。
（ｈ）呼出し失敗判定ショートタイマΔＴＳ設定値（タイプ２）は、それぞれこの短い時間期間ΔＴＳ内に、呼出しが失敗したかどうかを判定するためのものであり、タイプ２では、この時間期間ΔＴＳ内で呼出しが１回失敗したかどうかを判定する。
（ｉ）呼出し失敗判定条件タイプ１またはタイプ２切替えは、タイプ１とタイプ２とのいずれかであるかを示すものである。
【００２８】
以上の（ａ）から（ｉ）は、予め呼出し信号の再送回数管理装置２３に設定されるパラメータである。
【００２９】
さらに以下のパラメータが含まれる。
（ｒ）移動局装置識別番号は、加入者情報管理装置２２から読み出される対象となる移動局装置１の識別番号である。
（ｓ）呼出し信号の再送回数現状値は、対象となる移動局装置１の現状の呼出し信号の再送回数である。
（ｔ）呼出し信号の再送判定タイマ開始時刻は、呼出し信号の再送判定タイマが開始した時刻である。
（ｕ）呼出し失敗回数は、移動局装置１の呼出しが失敗した回数である。
（ｖ）呼出し失敗判定タイマ開始時刻は、呼出し失敗判定タイマの開始時刻である。
（ｗ）呼出し失敗判定条件タイプ２継続フラグは、呼出し失敗を判定するためにタイプ２で継続するときにはオンであり、継続しないときにはオフに設定されるフラグである。
これらの（ｒ）から（ｗ）は、あらかじめ設定されるものではなく、動的にその状況に応じて変更されるものである。
【００３０】
次に、図４から図８を参照して、移動局装置１の呼出し信号に対する応答あるいは発呼に基づいて、呼出し信号の再送回数を変更する方法を説明する。
【００３１】
なお、図４から図８において、縦軸は呼出し信号の再送回数を表し、横軸は時間を表す。
【００３２】
図４は、モードＮからモードＨへ移行し、モードＨの保持タイマが満了してモードＮへ戻る状態を示す図である。
【００３３】
時刻Ｔ０から開始し、呼出し信号の再送回数は初期設定値Ｎ０（例えば２回）に設定される（モードＮ）。移動局装置１に対して呼出しを行い、これの呼出しに応答しない場合には、初期設定値（例えば２回）だけ呼出し信号の再送を行う。すなわち、呼出し信号を１回送り、その後、呼出し信号の再送を２回行う。
【００３４】
これらの３回の呼出し信号に対しても、移動局装置１が応答しない場合に、次回の呼出しの際の移動局装置１の応答確率を上げるために、時刻Ｔ１で、呼出し信号の再送回数をＮＨ（例えば３回）に増やす状態（モードＨ）へ移行する。モードＨに移行したことを契機に、モードＨの保持タイマΔＴＨ（例えば３０分間のタイマ）が起動する。
【００３５】
この保持タイマΔＴＨが作動している間（時刻Ｔ１から時刻Ｔ２の第１の時間期間）は、モードＨが保持される。この第１の時間期間内で、移動局装置１の呼出しが行われずまたは移動局装置１からの発呼もなく、時刻Ｔ２でこの保持タイマΔＴＨが満了すると、モードＮに戻る。
【００３６】
図５は、モードＮからモードＨへ移行し、モードＨの状態で、呼出しまたは発呼が成功してモードＮへ戻る状態を示す図である。
【００３７】
図４と同様に、時刻Ｔ０からモードＮの初期状態で開始し、移動局装置１が呼出しに応答しないために、時刻Ｔ１で、モードＨへ移行し、モードＨの保持タイマΔＴＨ（時刻Ｔ１から時刻Ｔ３の第１の時間期間）が起動する。
【００３８】
この保持タイマΔＴＨが作動している間に、移動局装置１の呼出しが再度行われて、その呼出しが成功する、あるいは移動局装置１からの発呼が成功すると、時刻Ｔ２でモードＮに戻る。
【００３９】
図６は、モードＮからモードＨへ移行し、モードＨにおいて、設定された回数だけ呼出しが失敗してモードＬへ移行し、モードＬの保持タイマが満了してモードＮへ戻る状態を示す図である。なお、図６に示される例は、モードＨにおける呼出し失敗回数の判定をタイプ１で行うものである。
【００４０】
図４と同様に、時刻Ｔ０からモードＮの初期状態で開始し、移動局装置１が呼出しに応答しないために、時刻Ｔ１で、モードＨへ移行し、モードＨの保持タイマΔＴＨ（時刻Ｔ１から時刻Ｔ４の第１の時間期間）が起動し、同時に呼出し失敗回数判定タイマΔＴＣ（時刻Ｔ１から時刻Ｔ３の時間期間）が起動する。この呼出し失敗回数判定タイマΔＴＣの目的は、このタイマΔＴＣが作動している間に、呼出しの失敗の回数が設定された回数に達すると、呼出し信号の再送回数を増やしても、応答確率を上げるという効果が見込めないために、無駄な下りシステム負荷を低減する目的で、呼出し信号再送回数を減らすモードＬに移行させることにある。
【００４１】
呼出し失敗回数判定タイマΔＴＣが作動している間に、移動局装置１の呼出しが再度行われて、設定された回数（図６の例では３回）呼出しが失敗したため、時刻Ｔ２で、モードＬへ移行し、モードＬの保持タイマΔＴＬ（時刻Ｔ２から時刻Ｔ５の第２の時間期間、例えば３０分間のタイマ）が起動する。このとき、作動中でまだ満了していないモードＨの保持タイマΔＴＨは、無効にされる。
【００４２】
このモードＬの保持タイマΔＴＬが作動している間に呼出しまたは発呼が行われず、時刻Ｔ５でこの保持タイマΔＴＬが満了すると、モードＮに戻る。
【００４３】
図７は、図６に類似する状態を示す図であるが、モードＨの状態で、呼出し失敗回数判定タイマΔＴＣの代わりに、呼出し失敗判定ショートタイマΔＴＳ１、ΔＴＳ２、およびΔＴＳ３を用いるタイプ２の状態を示す図である。
【００４４】
時刻Ｔ１から始まるモードＨの状態で、移動局装置１の呼出しが再度行われて、呼出しが失敗する毎に新たな呼出し失敗判定ショートタイマΔＴＳ１、ΔＴＳ２、およびΔＴＳ３が作動される。
【００４５】
図８は、モードＮからモードＨへ移行し、モードＨにおいて、設定された回数の呼出しが失敗してモードＬへ移行し、モードＬの状態で呼出しまたは発呼が成功してモードＮへ戻る状態を示す図である。
【００４６】
図６および図７に示されるように、モードＨの状態で設定された回数だけ呼出しが失敗したため、時刻Ｔ２でモードＬに移行する。
【００４７】
モードＬに移行したことを契機に起動したモードＬの保持タイマΔＴＬが作動している間（時刻Ｔ２から時刻Ｔ５の第２の時間期間）に、呼出しまたは発呼が成功すると、時刻Ｔ３でモードＮに移行する。
【００４８】
図９は、図４から図８に示したモード間の状態遷移をまとめたものである。
【００４９】
図９に示されるように、状態には、モードＮ（呼出し信号の再送回数Ｎ０）５０と、モードＨ（呼出し信号の再送回数ＮＨ、ＮＨ＞Ｎ０）５１と、モードＬ（呼出し信号の再送回数ＮＬ、ＮＬ＜Ｎ０）５２とが含まれる。
【００５０】
呼出しが成功していれば、モードＮの状態を維持しているが、呼出しが失敗するとモードＨへ移行する。モードＨの保持タイマΔＴＨが作動している間は、このモードＨが保持されるが、モードＨの保持タイマΔＴＨが満了したとき、あるいは呼出しまたは発呼が成功したときには、モードＮへ移行する。あるいは、モードＨにおいて保持タイマΔＴＨが作動している間に、設定された回数だけ呼出しに失敗すると、モードＬへ移行する。モードＬの保持タイマΔＴＬが作動している間は、このモードＬが保持されるが、モードＬの保持タイマΔＴＬが満了したとき、あるいは呼出しまたは発呼が成功したときには、モードＮへ移行する。
【００５１】
次に、図１０から図１２に、呼出し信号の再送回数管理装置２３が行う処理フローの一例を示す。
【００５２】
図１０は、呼出し応答がないとの報告を受信した際に、呼出し信号の再送回数管理装置２３が行う処理フローの一例である。
【００５３】
ステップＳ１で、呼出し応答がないとの報告を受信すると、ステップＳ２で、対象となる移動局装置１のモードが、モードＮかどうかを判定する。モードＮと判定された場合には、ステップＳ３で、モードＨへ移行させる。その際、図３に示される管理テーブル１５１に含まれるパラメータは、以下のように設定される。すなわち、呼出し信号の再送回数現状値（ｓ）は、増分された再送回数（ｂ）に設定され、呼出し信号の再送判定タイマ開始時刻（ｔ）は、現在時刻に設定され、呼出し失敗回数（ｕ）は、１に設定され、呼出し失敗判定タイマ開始時刻（ｖ）は、現在時刻に設定され、呼出し失敗判定条件のタイプ２の継続フラグ（ｗ）は、オンに設定される。その後、ステップＳ４でこの処理を終了する。
【００５４】
ステップＳ２で、モードＮではないと判定された場合には、ステップＳ５で、モードＨかどうかを判定する。モードＨではないと判定された場合には、モードＬであり、ステップＳ６でこの処理を終了する。
【００５５】
ステップＳ５で、モードＨであると判定された場合には、ステップＳ７で、タイプ１かどうかを判定する。
【００５６】
ステップＳ７でタイプ１であると判定された場合には、ステップＳ８で、呼出し失敗判定タイマ開始時刻（ｖ）から現在時刻までの時間が、タイプ１の呼出し失敗回数判定タイマΔＴＣの設定値（ｇ）を越えたかどうかを判定する。ステップＳ８で、タイプ１の呼出し失敗回数判定タイマΔＴＣの設定値（ｇ）を越えたと判定された場合には、ステップＳ９でこの処理を終了する。
【００５７】
ステップＳ８で、タイプ１の呼出し失敗回数判定タイマΔＴＣの設定値（ｇ）を越えていないと判定された場合には、ステップＳ１０で、呼出し失敗回数（ｕ）を１回増やす。次にステップＳ１１で、呼出し失敗回数（ｕ）が、呼出し失敗判定回数設定値（ｆ）以上かどうかが判定される。ステップＳ１１で、呼出し失敗回数（ｕ）が、呼出し失敗判定回数設定値（ｆ）未満であると判定された場合には、ステップＳ１２でこの処理を終了する。
【００５８】
ステップＳ１１で、呼出し失敗回数（ｕ）が、呼出し失敗判定回数設定値（ｆ）以上であると判定された場合には、ステップＳ１３で、モードＬへ移行させる。その際、管理テーブル１５１に含まれるパラメータは、呼出し信号の再送回数現状値（ｓ）は、減分された再送回数（ｃ）に設定され、呼出し信号の再送判定タイマ開始時刻（ｔ）は、現在時刻に設定され、呼出し失敗回数（ｕ）は、０に設定され、呼出し失敗判定タイマ開始時刻（ｖ）は、クリアされ、呼出し失敗判定条件のタイプ２の継続フラグ（ｗ）は、オフに設定される。その後、ステップＳ４でこの処理を終了する。
【００５９】
ステップＳ７で、タイプ１でなないと判定された場合には、ステップＳ１４で、呼出し失敗判定条件のタイプ２の継続フラグ（ｗ）が、オンかどうかを判定する。ステップＳ１４で、呼出し失敗判定条件のタイプ２の継続フラグ（ｗ）が、オンではないと判定された場合には、ステップＳ１５でこの処理を終了する。
【００６０】
ステップＳ１４で、呼出し失敗判定条件のタイプ２の継続フラグ（ｗ）が、オンであると判定された場合には、ステップＳ１６で、呼出し失敗判定タイマ開始時刻（ｖ）から現在時刻までの時間が、タイプ２の呼出し失敗判定ショートタイマΔＴＳの設定値（ｈ）を越えたかどうかを判定する。
【００６１】
ステップＳ１６で、タイプ２の呼出し失敗判定ショートタイマΔＴＳの設定値（ｈ）を越えていないと判定された場合には、ステップＳ１７で、呼出し失敗判定タイマ開始時刻（ｖ）を現在時刻に設定して、ステップＳ１０へ進む。また、ステップＳ１６で、タイプ２の呼出し失敗判定ショートタイマΔＴＳの設定値（ｈ）を越えていると判定された場合には、ステップＳ１８で、呼出し失敗判定条件のタイプ２の継続フラグ（ｗ）をオフに設定し、ステップＳ１９で、この処理を終了する。
【００６２】
図１１は、呼出し応答があるとの報告を受信した際に、呼出し信号の再送回数管理装置２３が行う処理フローの一例を示す。
【００６３】
ステップＳ２１で、呼出し応答があるとの報告を受信すると、ステップＳ２２で、移動局装置１のモードが、モードＮかどうかを判定する。モードＮと判定された場合には、ステップＳ２３で、この処理を終了する。ステップＳ２２で、モードＮではないと判定された場合には、ステップＳ２４で、モードＨまたはモードＬからモードＮに移行させる。その際、管理テーブル１５１に含まれるパラメータは、呼出し信号の再送回数現状値（ｓ）は、初期設定の再送回数（ａ）に設定され、呼出し信号再送判定タイマ開始時刻（ｔ）は、クリアされ、呼出し失敗回数（ｕ）は、０に設定され、呼出し失敗判定タイマ開始時刻（ｖ）は、クリアされ、呼出し失敗判定条件のタイプ２の継続フラグ（ｗ）は、オフに設定される。その後、ステップＳ２５でこの処理を終了する。
【００６４】
図１２は、呼出し信号の再送回数管理装置２３が、移動局装置１ごと（ユーザごと）に、呼出し信号の再送回数を常時監視する処理フローの一例を示す。
【００６５】
ステップＳ３１で、移動局装置を選択する。次に、ステップＳ３２で、選択した移動局装置が、モードＮの状態かどうかを判定する。ステップＳ３２でモードＮの状態であると判定された場合には、ステップＳ３３で次の移動局装置を選択する。
【００６６】
ステップＳ３２で、選択された移動局装置がモードＮではないと判定された場合には、ステップＳ３４で、モードＨかどうかが判定される。
【００６７】
ステップＳ３４でモードＨであると判定された場合には、ステップＳ３５で、呼出し再送判定タイマ開始時刻（ｔ）から現在時刻までの時間が、モードＨの保持タイマΔＴＨの設定値（ｄ）を越えたかどうかを判定する。ステップＳ３５で、モードＨの保持タイマΔＴＨの設定値を越えていないと判定された場合には、ステップＳ３６で次の移動局装置を選択する。
【００６８】
ステップＳ３５で、モードＨの保持タイマΔＴＨの設定値を越えたと判定された場合には、ステップＳ３７で、モードＨからモードＮへ移行させる。その際、管理テーブル１５５に含まれるパラメータは、呼出し信号の再送回数現状値（ｓ）は、初期設定の再送回数（ａ）に設定され、呼出し信号再送判定タイマ開始時刻（ｔ）は、クリアされ、呼出し失敗回数（ｕ）は、０に設定され、呼出し失敗判定タイマ開始時刻（ｖ）は、クリアされ、呼出し失敗判定条件のタイプ２の継続フラグ（ｗ）は、オフに設定される。その後、ステップＳ３３で次の移動局装置を選択する。
【００６９】
ステップＳ３４でモードＨではないと判定された場合には、ステップＳ３８で、呼出し再送判定タイマ開始時刻（ｔ）から現在時刻までの時間が、モードＬの保持タイマΔＴＬの設定値（ｅ）を越えたかどうかを判定する。
【００７０】
ステップＳ３８で、モードＬの保持タイマΔＴＬの設定値（ｅ）を越えたと判定される場合には、ステップＳ３７へ進みモードＮへ移行する。ステップＳ３８で、モードＬの保持タイマΔＴＬの設定値（ｅ）を越えていない判定される場合には、ステップＳ３９で、次の移動局装置を選択する。
【００７１】
図１３から図２２に、本発明の呼出し信号の再送回数を変更可能な移動局装置の呼出し制御方法におけるシーケンスを示す。
【００７２】
図１３は、初期状態のシーケンスを示す。
【００７３】
移動局装置１が、移動体無線ネットワーク１０と通信可能になると、移動局装置１は、基地局装置１２、１３を介して無線ネットワーク制御装置１１に対して位置登録要求を送る（２００）。無線ネットワーク制御装置１１は、この位置登録要求を、移動体交換センタ２０の交換機装置２１に送る（２０１）。交換機装置２１は、移動局装置１から位置登録要求を受けたことを呼出し信号の再送回数管理装置２３へ報告する（２０２）。
【００７４】
交換機装置２１は、加入者情報管理装置２２から、位置登録要求を行った移動局装置１の移動局装置識別番号をダウンロードする（２０３）。また、呼出し信号再送の回数管理装置２３も、加入者情報管理装置２２から、位置登録要求を行った移動局装置１の移動局装置識別番号をダウンロードし（２０４）、この移動局装置１をモードＮに設定する。
【００７５】
その後、交換機装置２１は、無線ネットワーク制御装置１１に移動局装置１の位置登録を受け入れたことを通知する（２０５）。無線ネットワーク制御装置１１は、基地局装置１２、１３を介して、移動局装置１に位置登録を受け入れたことを通知する（２０６）。
【００７６】
図１４から図１５に、モードＮからモードＨへ移行し、モードＨの保持タイマが満了してモードＮへ戻る、図４に示される状態のシーケンスを示す。
【００７７】
公衆交換電話網３０を介して交換機装置２１に、移動局装置１の呼出し要求が送られる（２１０）。呼出し要求を受けた交換機装置２１は、呼出し信号再送回数管理装置２３に対して、呼出し要求された移動局装置１に関する呼出し信号再送回数を問い合わせる（２１１）。呼出し信号再送回数管理装置２３は、移動局装置に関する呼出し信号再送回数を報告する（２１２）。図１４に示される例は、移動局装置１はモードＮの状態にあり、呼出し信号再送回数は、初期設定値の２回である。
【００７８】
交換機装置２１は、無線ネットワーク制御装置１１に移動局装置１の呼出しを要求し（２１３）、無線ネットワーク制御装置１１は、基地局装置１２、１３を介して移動局装置１を呼び出す（２１４）。移動局装置１から応答がないことが交換機装置２１に報告される（２１５）。
【００７９】
交換機装置２１は、初期設定値の２回だけ呼出し信号の再送を行うが（２１６〜２２０）、移動局装置１から応答がないことが報告される（２２１）。交換機装置２１は、移動局装置１からの呼出し応答がないことを呼出し信号の再送回数管理装置２３に報告する（２２２）。
【００８０】
呼出し信号の再送回数管理装置２３は、移動局装置１の呼出し失敗回数（ｕ）を１回に設定し（２２３）、タイプ２の場合には、呼出し失敗判定条件のタイプ２の継続フラグ（ｗ）をオンに設定（２２４）、移動局装置１をモードＨに移行させる（２２５）。図１４に示される例では、モードＮの２回の再送回数から、モードＨの３回の再送回数に変更される。
【００８１】
モードＨに移行されたことに応答して、呼出し信号再送判定タイマを起動する（２２６）。タイプ１の場合には、呼出し失敗回数判定タイマΔＴＣを起動し（２２７）、タイプ２の場合には、呼出し失敗判定ショートタイマΔＴＳ１を起動する（２２８）。同時に、モードＨの保持タイマΔＴＨを起動する（２２９）。例えば、図１４に示される例では、呼出し失敗回数判定タイマΔＴＣは１０分間であり、呼出し失敗判定ショートタイマΔＴＳ１は５分間であり、モードＨの保持タイマΔＴＨは３０分間である。
【００８２】
呼出し失敗回数判定タイマΔＴＣの１０分間が終了し（２３０）、モードＨの保持タイマΔＴＨの３０分間が終了（２３１）する。これに応答して、呼出し信号の再送回数管理装置２３は、移動局装置１をモードＮに戻し（呼出し信号再送回数を、初期設定値の２回に戻す）（２３２）、呼出し失敗回数（ｕ）をクリアする（２３３）。
【００８３】
図１６は、モードＨの状態で、呼出しまたは発呼に成功してモードＮに戻る、図５に示される状態のシーケンスを示す。
【００８４】
図１６に示されるシーケンスは、図１４に示されるシーケンスにおける、モードＨに移行して（２２５）、呼出し信号再送判定タイマを起動した（２２６）状態から始まる。
【００８５】
公衆交換電話網３０を介して交換機装置２１に、移動局装置１の呼出し要求が送られる（２４０）。交換機装置２１は、前述の図１４に示されるシーケンスのように、呼出し信号の再送回数を、呼出し信号の再送回数管理装置２３に対して問合せ（２４１）、移動局装置１がモードＨの状態にあるため、増分設定値の報告を受ける（２４２）。図１６に示される例では、呼出し信号再送回数の増分設定値は３回である。
【００８６】
交換機装置２１は、移動局装置１に対して、呼出し信号を送ること（２４３、２４４）と、呼出し信号の再送を行うこと（２４６〜２５３）とを行う。３回目の呼出し信号の再送に対して、移動局装置１が応答すると（２５４）、交換機装置２１は、移動局装置１が呼出しに応答したことを、呼出し信号の再送回数管理装置２３に報告する（２５５）。
【００８７】
呼出し信号の再送回数管理装置２３は、呼出し信号再送判定タイマの経過時間を確認し（２５６）、移動局装置１をモードＮに戻し（２５７）、呼出し失敗回数判定タイマΔＴＣをクリアし（２５８）、モードＨの保持タイマΔＴＨをクリアし（２５９）、呼出し失敗回数をクリアする（２６０）。
【００８８】
図１７から図１９は、モードＮからモードＨへ移行し、モードＨにおいて、設定された回数の呼出しが失敗してモードＬへ移行し、モードＬの保持タイマが満了してモードＮへ戻る図６に示される状態のシーケンスを示す。
【００８９】
図１７から図１９に示されるシーケンスは、図１４に示されるシーケンスにおける、モードＨに移行して（２２５）、呼出し信号再送判定タイマを起動した（２２６）状態から始まる。
【００９０】
公衆交換電話網３０を介して交換機装置２１に、移動局装置１の呼出し要求が送られる（２７０）。交換機装置２１は、呼出し信号の再送回数を、呼出し信号の再送回数管理装置２３に対して問合せ（２７１）、移動局装置１がモードＨの状態にあるため、増分設定値の報告を受ける（２７２）。
【００９１】
交換機装置２１は、移動局装置１に対して、呼出しおよび増分設定回数の呼出し信号再送とを行い、移動局装置１から応答がないとの報告を受ける（２７３）。交換機装置２１は、これを呼出し信号の再送回数管理装置２３に報告する（２７４）。
【００９２】
呼出し信号の再送回数管理装置２３は、呼出し信号再送判定タイマの経過時間を確認し（２７５）、呼出し失敗回数を２回にする（２７６）。
【００９３】
再び公衆交換電話網３０を介して交換機装置２１に、移動局装置１の呼出し要求が送られる（２７７）。交換機装置２１は、呼出し信号の再送回数を、呼出し信号の再送回数管理装置２３に対して問合せ（２７８）、移動局装置１がモードＨの状態にあるため、増分設定値の報告を受ける（２７９）。
【００９４】
交換機装置２１は、移動局装置１に対して、呼出しおよび増分設定回数の呼出し信号再送とを行い（２８０）、移動局装置１から応答がないとの報告を受ける。交換機装置２１は、これを呼出し信号の再送回数管理装置２３に報告する（２８１）。
【００９５】
呼出し信号の再送回数管理装置２３は、呼出し信号再送判定タイマの経過時間を確認し（２８２）、呼出し失敗回数を３回にする（２８３）。３回の呼出し失敗回数が、設定された失敗回数であるため、呼出し信号の再送回数管理装置２３は、移動局装置１をモードＬに移行させ（２８４）、呼出し失敗回数判定タイマΔＴＣをクリアし（２８５）、モードＨの保持タイマΔＴＨをクリアし（２８６）、呼出し失敗回数をクリアする（２８７）。
【００９６】
さらに、モードＬの保持タイマΔＴＬを起動し（２８８）する。図１８に示される例では、モードＬの保持タイマΔＴＬは３０分間である。
【００９７】
モードＬの保持タイマΔＴＬの３０分間が終了（２９０）する。これに応答して、呼出し信号の再送回数管理装置２３は、移動局装置１をモードＮに戻し（２９１）。
【００９８】
図２０に示されるシーケンスは、図１７から図１９に示されるシーケンスにおけるモードＬの状態で、移動局装置１の応答が成功し、モードＬからモードＮに戻るシーケンスを示す。
【００９９】
図２０は、図１８における移動局装置１がモードＬに移行されて（２８４）、モードＬの保持タイマΔＴＬを起動した（２８８）状態から始まる。
【０１００】
公衆交換電話網３０を介して交換機装置２１に、移動局装置１の呼出し要求が送られる（３００）。交換機装置２１は、呼出し信号の再送回数を、呼出し信号の再送回数管理装置２３に対して問合せ（３０１）、移動局装置１がモードＬの状態にあるため、減分設定値の報告を受ける（３０２）。
【０１０１】
交換機装置２１は、移動局装置１に対して、呼出しおよび減分設定回数である１回の呼出し信号再送とを行い（３０３）、移動局装置１が応答した報告を受ける。交換機装置２１は、これを呼出し信号の再送回数管理装置２３に報告する（３０４）。
【０１０２】
呼出し信号の再送回数管理装置２３は、移動局装置１をモードＮに戻し（３０５）、モードＬの保持タイマΔＴＬをクリアし（３０６）、呼出し失敗回数をクリアする（３０７）。
【０１０３】
図２１および図２２に示されるシーケンスは、図７に示されるモードＨの状態で、呼出し失敗判定ショートタイマΔＴＳ１、およびΔＴＳ２を作動する状態のシーケンスを示す。
【０１０４】
図２１および図２２は、図１４に示されるシーケンスにおける、モードＨに移行して（２２５）、呼出し失敗判定ショートタイマΔＴＳ１が作動している状態から始まる。
【０１０５】
公衆交換電話網３０を介して交換機装置２１に、移動局装置１の呼出し要求が送られる（３１０）。交換機装置２１は、呼出し信号再送回数を、呼出し信号の再送回数管理装置２３に対して問合せ（３１１）、移動局装置１がモードＨの状態にあるため、増分設定値の報告を受ける（３１２）。
【０１０６】
交換機装置２１は、移動局装置１に対して、呼出しおよび増分設定回数の呼出し信号再送とを行い（３１３）、移動局装置１から応答がない報告を受ける。交換機装置２１は、これを呼出し信号の再送回数管理装置２３に報告する（３１４）。
【０１０７】
呼出し信号の再送回数管理装置２３は、呼出し信号再送判定タイマの経過時間を確認し（３１５）、呼出し失敗回数を２回にし（３１６）、呼出し失敗判定ショートタイマΔＴＳ１をクリアし（３１７）、次の呼出し失敗判定ショートタイマΔＴＳ２を作動させる（３１８）。
【０１０８】
この状態で、再び公衆交換電話網３０を介して交換機装置２１に、移動局装置１の呼出し要求が送られる（３１９）。交換機装置２１は、呼出し信号再送回数を、呼出し信号再送の回数管理装置２３に対して問合せ（３２０）、移動局装置１がモードＨの状態にあるため、増分設定値の報告を受ける（３２１）。
【０１０９】
交換機装置２１は、移動局装置１に対して、呼出しおよび増分設定回数の呼出し信号再送とを行い（３２２）、移動局装置１から応答がない報告を受ける。交換機装置２１は、これを呼出し信号の再送回数管理装置２３に報告する（３２３）。
【０１１０】
呼出し信号の再送回数管理装置２３は、呼出し信号再送判定タイマの経過時間を確認し（３２４）、呼出し失敗回数を３回にする（３２５）。３回の呼出し失敗回数が、設定された失敗回数であるため、呼出し信号の再送回数管理装置２３は、移動局装置１をモードＬに移行させ（３２６）、呼出し失敗判定ショートタイマΔＴＳ２をクリアし（３２７）、モードＨの保持タイマΔＴＨをクリアし（３２８）、呼出し失敗回数をクリアする（３２９）。
【０１１１】
さらに、モードＬの保持タイマΔＴＬを起動し（３３０）する。
【０１１２】
以上のように、交換機装置から基地局装置を介して移動局装置へ送られる呼出し信号の再送回数を、移動局装置の呼出し信号に対する応答あるいは移動局装置の発呼に基づいて移動局装置毎に変更して、呼出し信号の再送回数を最適化することで、着信確率を向上させ、かつシステム負荷を低減することを可能となる。
【図面の簡単な説明】
【０１１３】
【図１】無線通信システムの概略構成を示す。
【図２】呼出し信号の再送回数管理装置のブロック図を示す。
【図３】管理テーブルに含まれるパラメータの一例を示す。
【図４】呼出し信号の再送回数の変化を示す。
【図５】呼出し信号の再送回数の変化を示す。
【図６】呼出し信号の再送回数の変化を示す。
【図７】呼出し信号の再送回数の変化を示す。
【図８】呼出し信号の再送回数の変化を示す。
【図９】モード間の状態遷移を示す。
【図１０】呼出し信号の再送回数管理装置が行う処理フローを示す。
【図１１】呼出し信号の再送回数管理装置が行う処理フローを示す。
【図１２】呼出し信号の再送回数管理装置が行う処理フローを示す。
【図１３】移動局装置の呼出し制御方法におけるシーケンスを示す。
【図１４】移動局装置の呼出し制御方法におけるシーケンスを示す。
【図１５】移動局装置の呼出し制御方法におけるシーケンスを示す。
【図１６】移動局装置の呼出し制御方法におけるシーケンスを示す。
【図１７】移動局装置の呼出し制御方法におけるシーケンスを示す。
【図１８】移動局装置の呼出し制御方法におけるシーケンスを示す。
【図１９】移動局装置の呼出し制御方法におけるシーケンスを示す。
【図２０】移動局装置の呼出し制御方法におけるシーケンスを示す。
【図２１】移動局装置の呼出し制御方法におけるシーケンスを示す。
【図２２】移動局装置の呼出し制御方法におけるシーケンスを示す。
【符号の説明】
【０１１４】
１  移動局装置
１０  移動体無線ネットワーク
１１  無線ネットワーク制御装置
１２、１３  基地局装置
２０  移動体交換センタ
２１  交換機装置
２２  加入者情報管理装置
２３  呼出し信号の再送回数管理装置
３０  公衆交換電話網
５０  モードＮ
５１  モードＨ
５２  モードＬ
１００  交換機装置インターフェース
１１０  交換機装置メッセージ伝達部
１２０  呼出し信号の再送判定処理部
１３０  加入者情報管理装置インターフェース
１４０  基準タイマ
１５０  再送回数管理テーブル
１６０  パラメータ設定インターフェース
【図１】
2006074645.tif 000003
【図２】
2006074645.tif 000004
【図３】
2006074645.tif 000005
【図４】
2006074645.tif 000006
【図５】
2006074645.tif 000007
【図６】
2006074645.tif 000008
【図７】
2006074645.tif 000009
【図８】
2006074645.tif 000010
【図９】
2006074645.tif 000011
【図１０】
2006074645.tif 000012
【図１１】
2006074645.tif 000013
【図１２】
2006074645.tif 000014
【図１３】
2006074645.tif 000015
【図１４】
2006074645.tif 000016
【図１５】
2006074645.tif 000017
【図１６】
2006074645.tif 000018
【図１７】
2006074645.tif 000019
【図１８】
2006074645.tif 000020
【図１９】
2006074645.tif 000021
【図２０】
2006074645.tif 000022
【図２１】
2006074645.tif 000023
【図２２】
2006074645.tif 000024